(57)【要約】【課題】  極めて簡単な構成により、受皿の載置面上に載るプリントが受皿と突き当たり板との間の隙間から不用意に落下するのを抑制することが出来る受皿構造を提供する。【解決手段】  搬送路から搬出されるプリントが載る載置面を備えた受皿と、受皿に隣接して搬送路から搬出されるプリントが突き当たる突き当り板とが備えられた画像処理装置におけるプリントの受皿構造であって、受皿の載置面には、プリントの搬出方向前端側を持ち上げるための持ち上げ部が設けられ、この持ち上げ部は、受皿の載置面で且つ突き当て板と隣接する前端部側を、その端縁に向かうに従って高くなるように湾曲状に突出させた突出部位の湾曲面から構成した。【選択図】  図４
2005345869.tif 000002
【特許請求の範囲】
【請求項１】
搬送路から搬出されるプリントが載る載置面を備えた受皿と、受皿に置ける前記プリントの搬出方向前方側端部に隣接して設けられたプリントの突き当り板とが備えられた画像処理処理装置におけるプリントの受皿構造であって、
受皿の載置面には、プリントの搬出方向前端側を持ち上げるための持ち上げ部が設けられていることを特徴とする画像処理装置におけるプリントの受皿構造。
【請求項２】
受皿の載置面で且つ突き当て板と隣接する端部側を、その端縁に向かうに従って高くなるように湾曲状に突出させて、この突出する湾曲面を持ち上げ部としていることを特徴とする請求項１に記載の画像処理装置におけるプリントの受皿構造。
【請求項３】
持ち上げ部が、載置面に突設した突部から構成されていることを特徴とする請求項１に記載の画像処理装置におけるプリントの受皿構造。
【発明の詳細な説明】
【技術分野】
【０００１】
本発明は、搬送通路から搬出されるプリントを受け止める受皿と、受皿に隣接して設けられたプリントの突き当り板とが備えられた画像処理装置におけるプリントの受皿構造に関する。
【背景技術】
【０００２】
一般に画像処理装置は、プリント用紙に画像をプリント処理するための画像処理部と、画像処理部で仕上がったプリントを仕分けるための仕分け装置とが備えられ、また仕分け装置は、画像処理部の搬送路から搬出されるプリントが突き当たる突き当り板と、この突き当り板と搬送路の搬送端との間に位置して、搬送路から搬出されるプリントを載せるための複数の受皿が備えられている。そして以上の画像処理装置では、画像処理部で所定の画像がプリント用紙に適宜プリント処理されてプリントが仕上げられると共に、画像処理部の搬送路から搬出されるプリントは、突き当り板で受け止められて、受皿の平滑な載置面上に順次載せられ、仕分けされるようにしている。（特許文献１参照）
【特許文献１】特開２００１−２２２０９６号公報  ところで、搬送路から搬出されるプリントが載る受皿は、既知の通り、仕分け装置の駆動により順次移動するようにしているので、図６に概略的に示すように、突き当たり板Ａと受皿Ｂの間には、受皿Ｂの移動を許容するために一定の隙間Ｓが必然的に開いている。
【０００３】
そのため、以上の画像処理装置では、プリントＰがコンベヤベルトＣから受皿Ｂ上に投入された時に、図６に示すように、プリントＰの先端側が受皿Ｂと突き当たり板Ａとの間の隙間Ｓに入り込んでしまって、プリントＰが受皿Ｂから不用意に落下する恐れがある。
【０００４】
以上の不具合に対しては、滑り止め用ゴム材を受皿Ｂの載置面に貼り付ける方法もあるが、以上の方法では、部品点数及び組み付け手間が増大し、それだけコスト高となる。
【０００５】
尚、図６においてＣは、搬送路を構成するコンベヤベルトを示す。
【発明の開示】
【発明が解決しようとする課題】
【０００６】
本発明は、以上の実情に鑑みて開発したものであって、目的とするところは、極めて簡単な構成により、受皿の載置面上に載るプリントが受皿と突き当たり板との間の隙間から不用意に落下するのを抑制することが出来る受皿構造を提供することにある。
【０００７】
以上の目的を達成するために、請求項１に記載の発明は、搬送路から搬出されるプリントが載る載置面を備えた受皿と、受皿に隣接して搬送路から搬出されるプリントが突き当たる突き当り板とが備えられた画像処理処理装置におけるプリントの受皿構造であって、受皿の載置面には、プリントの搬出方向前端側を持ち上げるための持ち上げ部が設けられていることを特徴とするものである。
【０００８】
請求項２に記載の発明は、請求項１に記載の発明において、受皿の載置面で且つ突き当て板と隣接する前端部側を、その端縁に向かうに従って高くなるように湾曲状に突出させて、この突出する湾曲面を持ち上げ部としていることを特徴とするものである。
【０００９】
請求項３に記載の発明は、請求項１に記載の持ち上げ部が、載置面に突設した突部から構成されていることを特徴とするものである。
【００１０】
斯くして本発明の受皿構造が搭載された画像処理装置では、受皿の載置面上に載るプリントの前端部が持ち上げ部により持ち上げられて、受皿と突き当り板との間の隙間にプリントが侵入するのを未然に防止されるのである。
【発明の効果】
【００１１】
請求項１に記載の発明によれば、受皿の載置面上に載るプリントの前端部が持ち上げ部により持ち上げられて、受皿と突き当り板との間の隙間にプリントが侵入するのを未然に防止されるので、プリントが受皿から不用意に落下するのを阻止することが出来る。
【００１２】
請求項２に記載の発明によれば、請求項１に記載の発明の効果に加え、載置面上に載るプリントが湾曲面に沿って綺麗に上方に持ち上げられ、プリントにダメージを与えることなくその端部を上方に向けることが出来る。
【００１３】
請求項３に記載の発明によれば、請求項１に記載の発明の効果に加え、受皿の成形が簡単となる。
【発明を実施するための最良の形態】
【００１４】
以下、本発明の実施の形態を図面に基づいて説明する。
【００１５】
図１は、本発明にかかるプリントの受皿構造を備えた画像処理装置の概略図であって、  この画像処理装置は、装置本体１に、現像処理されたフィルムの画像をプリント用紙に焼き付けるための焼付処理部１１と、この焼付処理部１１で処理されたプリント用紙を現像処理するための現像処理部１２と、この現像処理部１２で現像処理されたプリント用紙Ｐを乾燥するための乾燥処理部１３と、乾燥処理部１３での乾燥処理により完成したプリントを搬出するためのプリント搬出部１４と、このプリント搬出部１４から搬出されるプリントを例えばオーダーごとに仕分けるための仕分け装置２とが搭載されている。
【００１６】
そして、焼付処理部１１には、ロール状に巻かれたプリント用紙Ｐを格納するためのペーパーマガジン１１ａが備えられ、焼付処理部１１には、プリント用紙に画像を露光するための露光装置（図示せず）が備えられ、また現像処理部１２には、処理槽（図示せず）が備えられており、更に乾燥処理部１３には、プリント用紙を乾燥するのに用いるヒーターが備えられている。
【００１７】
またプリント搬出部１４には、完成したプリントＰを仕分け装置２に向けて搬出するための搬送路を構成するベルトコンベヤ１５が備えられている。
【００１８】
仕分け装置２は、図２に示すように、上下２本の駆動軸２１間に無端状のチエン２２を掛け渡してなる旋回機構２３と、この旋回機構２３のチエン２２に取り付けられる複数の受皿３と、プリント搬出部１４のベルトコンベヤ１５から受皿３に向けて搬出されるプリントＰが突き当たる突き当り板４とが備えられている。
【００１９】
受皿３は、図３にも示すように、中央部にヒンジ部３１が設けられてその途中で折りたためるようにしており、また一端部にはチエン２２に揺動可能に支持するための取付部３２が設けられている。
【００２０】
突き当り板４は、仕分け装置の２のハウジング２０に固定されている。
【００２１】
以上の仕分け装置２は、旋回機構２３を駆動して、チエン２２を駆動軸２１間で旋回させることにより、各受皿３が上下方向に移動するようにしているのであって、下方に向かって移動する場合には、受皿３の受面３３が上方を向いた状態を維持し、最下端位置から次に上方に向かって移動する際には、受皿３が取付部３２を介してチエン２２に対し揺動するとともに、ヒンジ部３１で折り曲がりながら上方移動に変わり、そして更に、受皿３が上方に向かって移動するときは、受皿３が取付部３２を介してチエン２２に対し下方に揺動して、図２に示すように各受皿３が重なった状態で上方に移動するようにしている。
【００２２】
しかして本発明は、以上の画像処理装置において、受皿３の載置面３３にプリントＰの搬出方向前端側を持ち上げるための持ち上げ部５を設けたのである。
【００２３】
即ち図３、図４に示す実施形態では、図４にも示すように、受皿３の載置面３３を、下方に窪む湾曲面に形成することで、受皿３におけるプリントＰの搬出方向前端側及び後端側を湾曲状に上方に突出させて、この突出部位の湾曲面を持ち上げ部５としている。
【００２４】
以上の画像処理装置は、焼付処理部１１で画像がプリント用紙に焼き付けられ、画像の焼き付け処理を終えたプリント用紙は、現像処理部１２で現像されて、乾燥処理部１３で乾燥された後、プリント搬出部１４のベルトコンベア１５を介して、仕分け装置２の最上部に位置する受皿３に搬出されるのであって、また例えば１オーダー分のプリントＰが載った段階で、その受皿３は、旋回機構２３の駆動により順次下方に向けて一段階移動するのである。
【００２５】
ところで、プリントＰがベルトコンベア１５から受皿３に搬出されるに際しては、プリントＰは、その前端が突き当り板４で受け止められた後、受皿３の載置面３３上に載るのであって、湾曲状に窪む載置面３３に載ったプリントＰは、図４に示すように、その前後両端側が持ち上げ部５により湾曲状に持ち上げられるので、プリントＰが受皿３と突き当り板４との間の隙間Ｓに侵入するのを抑制することが出来るのである。
【００２６】
斯くして、以上の受皿３の載置面３３上に載るプリントＰは、受皿３と突き当り板４との間の隙間Ｓから不用意に落下するようなことがなく、載置面３３上に安定よく載るし、載置面３３上に載る複数のプリントＰの整列性も向上する。
【００２７】
以上の実施形態では、受皿３の載置面３３を下方に窪む湾曲面に形成することで、受皿３におけるプリントＰの搬出方向前端側及び後端側を湾曲状に上方に突出させて、この突出部位の湾曲面を持ち上げ部５としたが、これに限定されるものではなく、例えば、図５に示すように、受皿３の載置面３３におけるプリントＰの搬出方向前端及び後端に断面半円形の突部をその端縁に沿って形成して、この突部を持ち上げ部５としてもよく、以上の構成とすることで、受皿３の成形が、図４に示すものに比べて容易に行なうことが出来る。
【図面の簡単な説明】
【００２８】
【図１】本発明にかかる受皿構造を搭載する画像処理装置の概略斜視図。
【図２】本発明にかかる受皿構造を組み込む仕分け装置の概略構成図。
【図３】受け皿の概略斜視図。
【図４】本発明にかかる受皿構造の説明図。
【図５】本発明にかかる受皿構造の別の実施形態を示す説明図。
【図６】従来の受皿構造の説明図。
【符号の説明】
【００２９】
１      装置本体
１５    ベルトコンベヤ（搬送路）
２      仕分け装置
３３    載置面
４      突き当り板
５      持ち上げ部
Ｐ      プリント
【図１】
2005345869.tif 000003
【図２】
2005345869.tif 000004
【図３】
2005345869.tif 000005
【図４】
2005345869.tif 000006
【図５】
2005345869.tif 000007
【図６】
2005345869.tif 000008